(57)【要約】【課題】第１物品を損傷しにくくする。【解決手段】段ボール箱は、付属品９を収容可能な内箱１０と、プリンタ及びプリンタ上に内箱１０を収納可能であり、一対の内フラップ４及び一対の外フラップ３を有する外箱５とを含んでいる。内箱１０は、一対の内フラップ４及び一対の外フラップ３が閉じられているときに、一対の外フラップ３の突き合わせ部分において一対の内フラップ４間に対応する部分と付属品９との間に配置された保護部１３と、一対の内フラップ４及び一対の外フラップ３が閉じられているときに、内フラップ４と付属品９との間に位置し、付属品９を内箱１０の底面１１ｃに向けて押圧する押圧部１４とを有する。【選択図】図４
2020158186.tif 000002
【特許請求の範囲】
【請求項１】
上方が開口し第１物品を収納可能な内側箱体と、第２物品及び前記第２物品上に配置された前記内側箱体を収納可能であり、一対の内フラップ及び一対の外フラップを有する外側箱体とを備えた包装装置であって、
前記内側箱体に形成された保護部であって、前記一対の内フラップ及び前記一対の外フラップが閉じられているときに、前記一対の外フラップの突き合わせ部分において前記一対の内フラップ間に対応する部分と前記第１物品との間に配置されて前記第１物品を保護するための前記保護部と、
前記内側箱体及び前記外側箱体の少なくともいずれか一方に形成された押圧部であって、前記一対の内フラップ及び前記一対の外フラップが閉じられているときに、前記包装装置の前記押圧部以外の部分と前記第１物品との間に位置し、前記第１物品を前記内側箱体の底面に向けて押圧する前記押圧部とを備えていることを特徴とする包装装置。
【請求項２】
前記押圧部は、前記内側箱体の一部が折り曲げられることによって構成されていることを特徴とする請求項１に記載の包装装置。
【請求項３】
前記押圧部は、前記一対の内フラップ及び前記一対の外フラップが閉じられているときに、その上端が前記内フラップと当接していることを特徴とする請求項１又は２に記載の包装装置。
【請求項４】
前記外側箱体は、一方向に沿って長尺な直方体形状を有しており、
前記押圧部は、前記一方向と直交する幅方向において、前記内側箱体の中央に配置されていることを特徴とする請求項３に記載の包装装置。
【請求項５】
前記押圧部は、前記保護部と連結されており、
前記押圧部の前記内側箱体の底面側の面には、当該面よりも摩擦係数の高い高摩擦部材が取り付けられていることを特徴とする請求項３又は４に記載の包装装置。
【請求項６】
前記保護部が、前記一対の内フラップ及び前記一対の外フラップが閉じられているときに、前記外フラップ及び前記内フラップの下方において前記内フラップと接触するように配置されており、
前記押圧部は、上端において前記保護部と連結されており、下端において前記第１物品と当接していることを特徴とする請求項１又は２に記載の包装装置。
【請求項７】
上方が開口し第１物品を収納可能な内側箱体と、第２物品及び前記第２物品上に配置された前記内側箱体を収納可能であり、一対の内フラップ及び一対の外フラップを有する外側箱体とを備えた包装装置の前記内側箱体であって、
前記第１物品を保護するための保護部と、前記第１物品を前記内側箱体の底面に向けて押圧するための押圧部とが形成されており、
前記保護部は、前記一対の内フラップ及び前記一対の外フラップが閉じられたときに、前記一対の外フラップの突き合わせ部分において前記一対の内フラップ間に対応する部分と前記第１物品との間に配置され、
前記一対の内フラップ及び前記一対の外フラップが閉じられたときに、前記包装装置の前記押圧部以外の部分と前記第１物品との間に位置していることを特徴とする包装装置の内側箱体。
【発明の詳細な説明】
【技術分野】
【０００１】
本発明は、第１物品を収納可能な内側箱体と、当該内側箱体と第２物品とを収納可能な外側箱体とを有する包装装置及びその内側箱体に関する。
【背景技術】
【０００２】
特許文献１には、一対の外蓋（外フラップ）の突き合わせ部分に貼着された粘着テープを刃物を用いて切断して開梱するときに、当該刃物によって内容物（第１物品）が損傷しないように、内蓋又は外蓋に形成された保護材について記載されている。
【先行技術文献】
【特許文献】
【０００３】
【特許文献１】特開２０１４−２２３９２０号公報
【発明の概要】
【発明が解決しようとする課題】
【０００４】
しかしながら、上記特許文献１に記載の保護材は、一対の外蓋の突き合わせ部分と内容物との間に配置されるように構成されているだけであるため、輸送時の振動などで内容物が移動して、保護材と一対の外蓋の突き合わせ部分との間に入り込むことがある。この場合、刃物を用いて上述のように開梱すると、刃先が内容物に接触し、内容物が損傷する問題が生じる。
【０００５】
本発明の目的は、第１物品が損傷しにくくすることが可能な包装装置及びその内側箱体を提供することである。
【課題を解決するための手段】
【０００６】
本発明の包装装置は、上方が開口し第１物品を収納可能な内側箱体と、第２物品及び前記第２物品上に配置された前記内側箱体を収納可能であり、一対の内フラップ及び一対の外フラップを有する外側箱体とを備えた包装装置であって、前記内側箱体に形成された保護部であって、前記一対の内フラップ及び前記一対の外フラップが閉じられているときに、前記一対の外フラップの突き合わせ部分において前記一対の内フラップ間に対応する部分と前記第１物品との間に配置されて前記第１物品を保護するための前記保護部と、前記内側箱体及び前記外側箱体の少なくともいずれか一方に形成された押圧部であって、前記一対の内フラップ及び前記一対の外フラップが閉じられているときに、前記包装装置の前記押圧部以外の部分と前記第１物品との間に位置し、前記第１物品を前記内側箱体の底面に向けて押圧する前記押圧部とを備えている。
【０００７】
本発明の内側箱体は、上方が開口し第１物品を収納可能な内側箱体と、第２物品及び前記第２物品上に配置された前記内側箱体を収納可能であり、一対の内フラップ及び一対の外フラップを有する外側箱体とを備えた包装装置の前記内側箱体であって、前記第１物品を保護するための保護部と、前記第１物品を前記内側箱体の底面に向けて押圧するための押圧部とが形成されており、前記保護部は、前記一対の内フラップ及び前記一対の外フラップが閉じられたときに、前記一対の外フラップの突き合わせ部分において前記一対の内フラップ間に対応する部分と前記第１物品との間に配置され、前記一対の内フラップ及び前記一対の外フラップが閉じられたときに、前記包装装置の前記押圧部以外の部分と前記第１物品との間に位置している。
【発明の効果】
【０００８】
本発明の包装装置及びその内側箱体によると、押圧部によって第１物品の移動が規制される。このため、輸送時に第１物品が一対の外フラップの突き合わせ部分において一対の内ラップ間に対応する部分と保護部との間に移動しにくくなる。この結果、一対の外フラップの突き合わせ部分に粘着テープが貼着されて封止された包装装置の開梱時に、例えば、ユーザが刃物で粘着テープを切断しても、第１物品が刃物で損傷しにくくなる。
【図面の簡単な説明】
【０００９】
【図１】本発明の一実施形態に係る段ボール箱の斜視図である。
【図２】図１に示す段ボール箱の上部の一対の外フラップ及び一対の内フラップを開いた状態を示す斜視図である。
【図３】図１に示すIII−III線に沿った矢視図である。
【図４】図３に示す一点鎖線で取り囲まれた部分の拡大図である。
【図５】図２に示す内箱の平面図である。
【図６】図２に示す内箱の斜視図である。
【図７】本発明の第１変形例に係る内箱を示しており、（ａ）は要部斜視図であり、（ｂ）は段ボール箱内に配置された内箱の状態を示す要部断面図である。
【図８】本発明の第２変形例に係る内箱を示しており、（ａ）は要部斜視図であり、（ｂ）は段ボール箱内に配置された内箱の状態を示す要部断面図である。
【図９】本発明の第３変形例に係る内箱を示しており、（ａ）は要部斜視図であり、（ｂ）は段ボール箱内に配置された内箱の状態を示す要部断面図である。
【図１０】本発明の第４変形例に係る内箱を示しており、（ａ）は要部斜視図であり、（ｂ）は段ボール箱内に配置された内箱の状態を示す要部断面図である。
【発明を実施するための形態】
【００１０】
以下、本発明の一実施形態に係る包装装置としての段ボール箱１について説明する。本実施形態においては、図１に矢印を付して示す３つの方向が、上下方向Ａ１、前後方向Ａ２、及び左右方向Ａ３であり、これら方向を用いて、段ボール箱１について説明する。なお、図１に示す３つの方向は、他の図面においても同様である。段ボール箱１は、図１及び図２に示すように、Ａ式のみかん箱タイプのものである外箱（外側箱体）５と、外箱５内に収納された内箱（内側箱体）１０（図２参照）とを有する。また、段ボール箱１内には、図２及び図３に示すように、用紙に画像を記録するための略直方体形状のプリンタ（第２物品）７と、プリンタ７と外箱５との間に配置された複数の緩衝材８と、内箱１０内に配置された付属品（第１物品）９とが収容されている。本実施形態における付属品９は、ビニール袋内にプリンタ７のマニュアルやドライバソフトが記憶されたＣＤ（コンパクトディスク）などが収容されてなるものであるが、特にこれに限定するものではない。緩衝材８は、発泡スチロールから構成されているが、特にその材質を限定するものではない。
【００１１】
外箱５及び内箱１０は、ともに段ボールからなるが、段ボール以外の紙から構成されていてもよい。なお、外箱５及び内箱１０は紙以外の材質から構成されていてもよい。外箱５は、図１及び図２に示すように、角筒状の本体２と、本体２の上下両端に設けられた一対の外フラップ３と、本体２の上下両端に設けられた一対の内フラップ４とを有する。外箱５は、一対の外フラップ３及び一対の内フラップ４が閉じられているときに、左右方向Ａ３に長尺な直方体形状を有する。
【００１２】
本体２は、図２に示すように、上下方向Ａ１に沿って貫通している。一対の外フラップ３は、図１及び図２に示すように、本体２の前後両端に配置されている。一対の内フラップ４は、本体２の左右両端に配置されている。図１に示すように、段ボール箱１を閉じたときに、一対の外フラップ３は先端同士が突き合わされ、一対の内フラップ４は先端同士が離隔するように、構成されている。
【００１３】
内箱１０は、図２及び図３に示すように、プリンタ７上において、プリンタ７の上角部上に配置された複数の緩衝材８により下方から支持され、外箱５内に収納されている。内箱１０は、図５及び図６に示すように、上方に開口したトレイ状の内箱本体１１と、内箱本体１１の内部領域１１ａを右領域１１ａ１と左領域１１ａ２とに仕切る仕切り壁１２と、付属品９を保護するための保護部１３と、押圧部１４とを有している。仕切り壁１２は、内箱本体１１の左右方向Ａ３の中央からやや左寄りの位置において、内箱本体１１の底面１１ｃから上方に立設して設けられている。仕切り壁１２は、前後方向Ａ２において、内箱本体１１の全長に亘って形成されている。仕切り壁１２の底面１１ｃからの高さは、内箱本体１１の周壁１１ｄと同じ高さとなっている。
【００１４】
保護部１３は、図４及び図６に示すように、平板状に形成されており、上下方向Ａ１において、仕切り壁１２の中央から右方に延在している。保護部１３は、図６に示すように、仕切り壁１２の一部及び内箱本体１１の底部の一部を切り取って形成されている。また、保護部１３は、図５に示すように、左右方向Ａ３に長尺であって右端部に切り欠き部１３ａが形成された略長方形平面形状を有している。保護部１３は、一対の内フラップ４が閉じられている状態において、右端部が右側の内フラップ４の下方に配置される位置まで、左側の内フラップ４の下方に配置された仕切り壁１２から右方に延在している。また、保護部１３の切り欠き部１３ａは、一対の内フラップ４が閉じられている状態において、右側の内フラップ４の下方に配置されている。このような保護部１３は、図４及び図５に示すように、一対の外フラップ３及び一対の内フラップ４が閉じられているときに、一対の外フラップ３の突き合わせ部分において一対の内フラップ４間に対応する部分全体と付属品９との間に配置される。これにより、例えば、一対の外フラップ３の突き合わせ部分を覆うように粘着テープが貼着された段ボール箱１において、図４中二点鎖線で示すように、カッターナイフ（刃物）９９の刃９９ａを一対の外フラップ３の突き合わせ部分に突き刺しつつカッターナイフ９９を左方から右方に移動させて粘着テープを切断した際に、刃９９ａが一対の内フラップ４間に落ち込んでも保護部１３により刃９９ａが付属品９に接触するのを防ぐことが可能となる。このため、付属品９がカッターナイフ９９により損傷するのを防ぐことが可能となる。
【００１５】
押圧部１４は、図６に示すように、保護部１３の切り欠き部１３ａとなる部分を切り取り、その切り取った部分を折り曲げて三角形形状に構成されてなる。つまり、押圧部１４は、保護部１３と一体的に形成されている。押圧部１４は、図４及び図６に示すように、水平部１４ａと、水平部１４ａに対して傾斜した２つの傾斜部１４ｂ，１４ｃとを有しており、前後方向Ａ２に延在する三角筒状に形成されている。押圧部１４は、図４及び図５に示すように、右側の内フラップ４と付属品９との間であって内箱１０の前後方向Ａ２の中央に配置されている。また、押圧部１４は、図５に示すように、一対の外フラップ３を閉じたときの突き合わせ部分と上下方向Ａ１に重なる位置に配置されている。また、押圧部１４は、図４に示すように、一対の外フラップ３及び一対の内フラップ４が閉じられた状態において、上端が内フラップ４に当接可能に構成されている。より詳細には、押圧部１４の上端は、一対の外フラップ３及び一対の内フラップ４を閉じることで、内フラップ４と当接し内フラップ４から下方への押圧力を得ることが可能な位置に配置されている。これにより、押圧部１４は、内箱１０の右領域に収容され保護部１３の下方に配置された付属品９を内箱１０の底面１１ｃに向けて上方から押圧することが可能となる。
【００１６】
押圧部１４の水平部１４ａの下面１４ａ１には、ゴム製のシート（高摩擦部材）１５が取り付けられている。本実施形態におけるシート１５は、ゴム製であるが、水平部１４ａの下面１４ａ１よりも摩擦係数が高ければ、他の材質から構成されていてもよく、特に限定するものではない。また、シート１５は、一対の外フラップ３及び一対の内フラップ４が閉じられているときに、付属品９と当接し押圧部１４からの押圧力を付属品９に加える。
【００１７】
以上に述べたように、本実施形態の段ボール箱１によると、押圧部１４に押圧されることによって付属品（第１物品）９の移動が規制される。このため、輸送時に付属品９が一対の外フラップ３の突き合わせ部分において一対の内ラップ４間に対応する部分と保護部１３との間に移動しにくくなる。この結果、一対の外フラップ３の突き合わせ部分に粘着テープが貼着されて封止された段ボール箱（包装装置）１の開梱時に、例えば、ユーザがカッターナイフ９９（刃物）で粘着テープを切断しても、付属品９が刃９９ａで損傷しにくくなる。
【００１８】
押圧部１４が、内箱（内側箱体）１０の一部である保護部１３の一部が折り曲げられることによって構成されている。これにより、押圧部１４を比較的容易に形成することができる。
【００１９】
また、押圧部１４は、一対の内フラップ４及び一対の外フラップ３が閉じられているときに、上端が内フラップ４と当接する。これにより、押圧部１４による付属品９に対する押圧力を、押圧部１４の上端と内フラップ４との当接により得ることが可能となる。
【００２０】
また、押圧部１４は、前後方向（幅方向）Ａ２において、内箱１０の中央に配置されている。これにより、輸送時において、押圧部１４が内箱１０の前後方向Ａ２の一方端側にあるよりか付属品９の中央部を押圧することが可能となって、付属品９がより一層移動しにくくなる。
【００２１】
また、押圧部１４は、保護部１３と一体的に連結されており、押圧部１４の下面１４ａ１（内箱１０の底面１１ｃと対向する面）には、高摩擦部材としてのシート１５が取り付けられている。これにより、輸送時に付属品９がより一層移動しにくくなる。
【００２２】
続いて、上述の内箱１０の第１〜第４変形例について、図７〜図１０を参照しつつ以下に説明する。第１変形例における内箱（内側箱体）１１０は、図７に示すように、保護部１１３及び２つの押圧部１１４が上述の内箱１０の保護部１３及び押圧部１４と異なるだけで、それ以外は上述の内箱１０とほぼ同じである。このため、上述の実施形態と同様なものについては同符号で示し説明を省略する。
【００２３】
保護部１１３は、図７に示すように、平板状に形成されており、上下方向Ａ１において、仕切り壁１２の中央から右方に延在している。保護部１１３は、仕切り壁１２の一部及び内箱本体１１の底部の一部を切り取って形成されている。また、保護部１１３は、左右方向Ａ３に長尺な長方形平面形状を有している。保護部１１３は、一対の内フラップ４が閉じられている状態において、右端部が右側の内フラップ４の下方に配置される位置まで、仕切り壁１２から右方に延在している。このような保護部１１３は、一対の外フラップ３及び一対の内フラップ４が閉じられているときに、一対の外フラップ３の突き合わせ部分において一対の内フラップ４間に対応する部分全体と付属品９との間に配置される。これにより、保護部１３と同様に、カッターナイフ９９で粘着テープを切断した際に、刃９９ａが一対の内フラップ４間に落ち込んでも保護部１１３により刃９９ａが付属品９に接触するのを防ぐことが可能となる。このため、付属品９がカッターナイフ９９により損傷するのを防ぐことが可能となる。
【００２４】
押圧部１１４は、前後方向Ａ２において、保護部１１３の前端及び後端にそれぞれ形成されている。押圧部１１４は、保護部１１３と同様に、図７に示すように、内箱本体１１の底部の一部を切り取って形成されており、保護部１１３と一体的に形成されている。押圧部１１４は、切り取った部分を折り曲げて三角形形状に構成されてなる。押圧部１１４は、図７に示すように、水平部１１４ａと、水平部１１４ａに対して傾斜する２つの傾斜部１１４ｂ，１１４ｃとを有しており、左右方向Ａ３に延在する三角筒状に形成されている。押圧部１１４は、図７に示すように、右側の内フラップ４と付属品９との間であって、前後方向Ａ２において内箱１１０の中央を挟んだ両側に配置されている。また、２つの押圧部１１４は、一対の外フラップ３を閉じたときに、前方にあるものが前方の外フラップ３と上下方向Ａ１に重なって配置され、後方にあるものが後方の外フラップ３と上下方向Ａ１に重なって配置されている。また、各押圧部１１４は、上述の押圧部１４と同様に、一対の外フラップ３及び一対の内フラップ４が閉じられた状態において、上端が内フラップ４に、下端が右領域１１ａ１に収容された付属品９に当接可能に構成されている。これにより、押圧部１１４は、内箱１１０の右領域１１ａ１に収容され保護部１１３の下方に配置された付属品９を内箱１１０の底面１１ｃに向けて上方から押圧することが可能となる。
【００２５】
このような第１変形例による内箱１１０においても、押圧部１１４を有していることで、付属品９を押圧することが可能となって、付属品９の移動が規制される。この結果、上述の実施形態と同様に、段ボール箱（包装装置）の開梱時に、例えば、ユーザがカッターナイフ９９（刃物）で粘着テープを切断しても、付属品９が刃９９ａで損傷しにくくなる。なお、上述の実施形態と同様な構成においては、同じ効果を得ることができる。
【００２６】
第２変形例における内箱（内側箱体）２１０は、図８に示すように、保護部２１３及び押圧部２１４が上述の内箱１０の保護部１３及び押圧部１４と異なるだけで、それ以外は上述の内箱１０とほぼ同じである。このため、上述の実施形態と同様なものについては同符号で示し説明を省略する。なお、保護部２１３は、上述の保護部１１３と同様である。
【００２７】
押圧部２１４は、保護部２１３と同様に、図８に示すように、内箱本体１１の底部の一部を切り取って形成されており、保護部２１３の右端部周りに一体的に形成されている。押圧部２１４は、切り取った部分を垂直になるように折り曲げて形成されている。つまり、押圧部２１４は、前後方向Ａ２に平行な第１垂直部２１４ａと、左右方向Ａ３に平行な２つの第２垂直部２１４ｂ，２１４ｃとを有している。押圧部２１４は、図８に示すように、右側の内フラップ４と付属品９との間であって、前後方向Ａ２において内箱２１０の中央に配置されている。また、押圧部２１４の各垂直部２１４ａ〜２１４ｃは、上述の押圧部１４と同様に、一対の外フラップ３及び一対の内フラップ４が閉じられた状態において、上端が内フラップ４に、下端が右領域１１ａ１に収容された付属品９に当接可能に構成されている。これにより、押圧部２１４は、内箱２１０の右領域１１ａ１に収容され保護部２１３の下方に配置された付属品９を内箱２１０の底面１１ｃに向けて上方から押圧することが可能となる。
【００２８】
このような第２変形例による内箱２１０においても、押圧部２１４を有していることで、付属品９を押圧することが可能となって、付属品９の移動が規制される。この結果、上述の実施形態と同様に、段ボール箱（包装装置）の開梱時に、例えば、ユーザがカッターナイフ９９（刃物）で粘着テープを切断しても、付属品９が刃９９ａで損傷しにくくなる。なお、上述の実施形態と同様な構成においては、同じ効果を得ることができる。
【００２９】
第３変形例における内箱（内側箱体）３１０は、図９に示すように、保護部３１３及び押圧部３１４が上述の内箱１０の保護部１３及び押圧部１４と異なるだけで、それ以外は上述の内箱１０とほぼ同じである。このため、上述の実施形態と同様なものについては同符号で示し説明を省略する。
【００３０】
保護部３１３は、図９に示すように、平板状に形成されており、上下方向Ａ１において、仕切り壁１２の中央から右方に延在している。保護部３１３は、仕切り壁１２の一部及び内箱本体１１の底部の一部を切り取って形成されている。また、保護部３１３は、左右方向Ａ３に長尺であって中央と右端部との間に切り欠き部３１３ａが形成された長方形平面形状を有している。保護部３１３は、一対の内フラップ４が閉じられている状態において、右端部が右側の内フラップ４の下方に配置される位置まで、仕切り壁１２から右方に延在している。また、保護部３１３の切り欠き部３１３ａは、一対の内フラップ４が閉じられている状態において、右側の内フラップ４の下方に配置されている。このような保護部３１３は、一対の外フラップ３及び一対の内フラップ４が閉じられているときに、一対の外フラップ３の突き合わせ部分において一対の内フラップ４間に対応する部分全体と付属品９との間に配置される。これにより、上述の保護部１３と同様に、カッターナイフ９９で粘着テープを切断した際に、刃９９ａが一対の内フラップ４間に落ち込んでも保護部３１３により刃９９ａが付属品９に接触するのを防ぐことが可能となる。このため、付属品９がカッターナイフ９９により損傷するのを防ぐことが可能となる。
【００３１】
押圧部３１４は、図９に示すように、保護部３１３の切り欠き部３１３ａとなる部分を切り取り、その切り取った部分を折り曲げて三角形形状に構成されてなる。つまり、押圧部３１４は、保護部３１３と一体的に形成されている。押圧部３１４は、水平部３１４ａと、水平部３１４ａに対して傾斜する２つの傾斜部３１４ｂ，３１４ｃとを有しており、前後方向Ａ２に延在する三角筒状に形成されている。押圧部３１４は、内フラップ４が閉じられたときに、右側の内フラップ４と付属品９との間であって内箱３１０の前後方向Ａ２の中央に配置されている。また、押圧部３１４は、一対の外フラップ３を閉じたときの突き合わせ部分と上下方向Ａ１に重なる位置に配置されている。また、押圧部３１４は、一対の外フラップ３及び一対の内フラップ４が閉じられた状態において、上端が内フラップ４に下端が右領域１１ａ１に収容され付属品９に当接可能に構成されている。これにより、押圧部３１４は、内箱３１０の右領域１１ａ１に収容され保護部３１３の下方に配置された付属品９を内箱３１０の底面１１ｃに向けて上方から押圧することが可能となる。
【００３２】
このような第３変形例による内箱３１０においても、押圧部３１４を有していることで、付属品９を押圧することが可能となって、付属品９の移動が規制される。この結果、上述の実施形態と同様に、段ボール箱（包装装置）の開梱時に、例えば、ユーザがカッターナイフ９９（刃物）で粘着テープを切断しても、付属品９が刃９９ａで損傷しにくくなる。なお、上述の実施形態と同様な構成においては、同じ効果を得ることができる。
【００３３】
第４変形例における内箱（内側箱体）４１０は、図１０に示すように、保護部４１３及び押圧部４１４が上述の内箱１０の保護部１３及び押圧部１４と異なるだけで、それ以外は上述の内箱１０とほぼ同じである。このため、上述の実施形態と同様なものについては同符号で示し説明を省略する。
【００３４】
保護部４１３は、図１０に示すように、平板状に形成されており、上下方向Ａ１において、仕切り壁１２の上端とほぼ同じ高さレベルに配置されている。保護部４１３は、仕切り壁１２の一部及び内箱本体１１の底部の一部を切り取った一部で形成されている。つまり、切り取られた部分を三角形形状に折り曲げて構成された部分の最も上方に配置された水平部分が、保護部４１３となっている。また、保護部４１３は、左右方向Ａ３に長尺な長方形平面形状を有している。保護部４１３は、一対の内フラップ４が閉じられている状態において、右端部が右側の内フラップ４の下方に配置される位置まで、仕切り壁１２から右方に延在している。このような保護部４１３は、一対の外フラップ３及び一対の内フラップ４が閉じられているときに、一対の外フラップ３の突き合わせ部分において一対の内フラップ４間に対応する部分全体と付属品９との間に配置される。これにより、上述の保護部１３と同様に、カッターナイフ９９で粘着テープを切断した際に、刃９９ａが一対の内フラップ４間に落ち込んでも保護部４１３により刃９９ａが付属品９に接触するのを防ぐことが可能となる。このため、付属品９がカッターナイフ９９により損傷するのを防ぐことが可能となる。また、保護部４１３は、一対の外フラップ３及び一対の内フラップ４が閉じられているときに、一対の内フラップ４と当接するように、構成されている。
【００３５】
押圧部４１４は、図１０に示すように、仕切り壁１２の一部及び内箱本体１１の底部の一部を切り取った一部で形成されている。つまり、切り取られた部分を三角形形状に折り曲げて構成された部分の最も上方に配置された水平部分（保護部４１３）以外の部分で、押圧部４１４が構成されている。押圧部４１４は、水平部４１４ａと、水平部４１４ａに対して傾斜する２つの傾斜部４１４ｂ，４１４ｃとを有しており、左右方向Ａ３に延在する三角筒状に形成されている。つまり、押圧部４１４は、保護部４１３と一体的に形成されている。押圧部４１４は、保護部４１３と付属品９との間であって内箱４１０の前後方向Ａ２の中央に配置されている。また、押圧部４１４は、一対の外フラップ３を閉じたときの突き合わせ部分と上下方向Ａ１に重なる位置に配置されている。また、押圧部４１４は、一対の外フラップ３及び一対の内フラップ４が閉じられた状態において、保護部４１３を介して内フラップ４に当接可能に構成されている。また、押圧部４１４の下端は、右領域１１ａ１に収容された付属品９と当接する。これにより、押圧部４１４は、内箱４１０の右領域１１ａ１に収容された付属品９を内箱４１０の底面１１ｃに向けて上方から押圧することが可能となる。
【００３６】
このような第４変形例による内箱４１０においても、押圧部４１４を有していることで、付属品９を押圧することが可能となって、付属品９の移動が規制される。この結果、上述の実施形態と同様に、段ボール箱（包装装置）の開梱時に、例えば、ユーザがカッターナイフ９９（刃物）で粘着テープを切断しても、付属品９が刃９９ａで損傷しにくくなる。また、一対の外フラップ３と一対の内フラップ４とが閉じられているときに、押圧部４１４が保護部４１３を介して内フラップ４と当接しているため、押圧部４１４による付属品９に対する押圧力を、押圧部４１４の上端（水平部４１４ａ）と保護部４１３との連結により得ることが可能となる。なお、上述の実施形態と同様な構成においては、同じ効果を得ることができる。
【００３７】
以上、本発明の好適な実施の形態について説明したが、本発明は上述の実施の形態に限られるものではなく、特許請求の範囲に記載した限りにおいて様々な変更が可能なものである。例えば、上述の実施形態及び第１〜第３変形例における押圧部１４，１１４，２１４，３１４は、一対の外フラップ３と一対の内フラップ４とが閉じているときに、上端が内フラップ４と当接しているが、外フラップ３など段ボール箱１の押圧部１４，１１４，２１４，３１４以外の部分と当接していてもよい。また、押圧部１４，１１４，２１４，３１４が、保護部１３，１１３，２１３，３１３上に配置されていてもよい。また、押圧部１１４，２１４，３１４，４１４の下面に高摩擦部材が取り付けられていてもよい。なお、押圧部１４の下面１４ａにシート１５が取り付けられていなくてもよい。
【００３８】
また、押圧部１４，１１４，２１４，３１４，４１４は、内側箱体の一部が折り曲げられて構成されていなくてもよいし、保護部１３，１１３，２１３，３１３，４１３と連結されていなくてもよい。また、押圧部１４，１１４，２１４，３１４，４１４は、外箱５に形成されていてもよい。また、外箱５は、左右方向Ａ３に長尺な直方体形状以外の方体形状であってもよい。
【００３９】
また、第１物品としての付属品９や第２物品としてのプリンタ７は特に限定するものではなく、どのような物品であってもよい。
【符号の説明】
【００４０】
１  段ボール箱（包装装置）
３  外フラップ
４  内フラップ
５  外箱（外側箱体）
７  プリンタ（第２物品）
９  付属品（第１物品）
１０  内箱（内側箱体）
１３，１１３，２１３，３１３，４１３  保護部
１４，１１４，２１４，３１４，４１４  押圧部
１５  シート（高摩擦部材）
【図１】
2020158186.tif 000003
【図２】
2020158186.tif 000004
【図３】
2020158186.tif 000005
【図４】
2020158186.tif 000006
【図５】
2020158186.tif 000007
【図６】
2020158186.tif 000008
【図７】
2020158186.tif 000009
【図８】
2020158186.tif 000010
【図９】
2020158186.tif 000011
【図１０】
2020158186.tif 000012